(57)【要約】【課題】停電時等における商用電源網への逆潮流を有効に回避して、従来に比して商用電源網との接続を簡略化する。【解決手段】太陽光による電力を出力する太陽光パネル１５と、商用電源（３）の電力又は太陽光パネル１５の電力を選択的に出力する切替スイッチ１３と、切替スイッチ１３から出力される電力をバッテリ充電し、バッテリに充電した電力を出力する補助電源装置１４と、補助電源装置１４からの電力又は商用電源の電力を選択的に負荷９Ｃ、９Ｄに出力する負荷側の制御リレー１１Ｃ、１１Ｄと、切替スイッチ１３への商用電源（３）の電力の入力を遮断する切替スイッチ側の制御リレー１２と、全体の動作を制御するコントローラ１７とを備える。商用電源（３）の停電時、コントローラ１７の制御により、切替スイッチ側の制御リレー１２で商用電源（３）の電源網と切替スイッチ１３との接続を遮断した状態で、太陽光パネル１５の電力によりバッテリを充電し、バッテリに充電した電力により負荷９Ｃ、９Ｄを駆動する。【選択図】図１
2014180125.tif 000002
【特許請求の範囲】
【請求項１】
太陽光による電力を出力する太陽光パネルと、
商用電源の電力又は前記太陽光パネルの電力を選択的に出力する切替スイッチと、
前記切替スイッチから出力される電力をバッテリに充電し、前記バッテリに充電した電力を出力する補助電源装置と、
前記補助電源装置からの電力又は商用電源の電力を選択的に負荷に出力する負荷側の制御リレーと、
前記切替スイッチへの前記商用電源の電力の入力を遮断する切替スイッチ側の制御リレーと、
全体の動作を制御するコントローラとを備え、
前記商用電源の停電時、
前記コントローラの制御により、前記切替スイッチ側の制御リレーで前記商用電源の電源網と前記切替スイッチとの接続を遮断した状態で、前記太陽光パネルの電力により前記バッテリを充電し、前記バッテリに充電した電力により前記負荷を駆動する
太陽光発電システム。
【請求項２】
前記商用電源が停電していないとき、
夜間の商用電源により、前記切替スイッチ側の制御リレー、前記切替スイッチを介して前記商用電源を前記補助電源装置に供給して前記商用電源によりバッテリを充電し、
少なくとも昼間、前記バッテリに充電した電力により前記負荷を駆動すると共に、前記切替スイッチ側の制御リレーで前記商用電源の電源網と前記切替スイッチとの接続を遮断した状態で、前記太陽光パネルの電力を前記商用電源の電力網に出力する
請求項１に記載の太陽光発電システム。
【請求項３】
商用電源の電力又は局所電源設備の電力を選択的に出力する切替スイッチと、
前記切替スイッチから出力される電力をバッテリに充電し、前記バッテリに充電した電力を出力する補助電源装置と、
前記補助電源装置からの電力又は商用電源の電力を選択的に負荷に出力する負荷側の制御リレーと、
前記切替スイッチへの前記商用電源の電力の入力を遮断する切替スイッチ側の制御リレーと、
全体の動作を制御するコントローラとを備え、
前記商用電源の停電時、
前記コントローラの制御により、前記切替スイッチ側の制御リレーで前記商用電源の電源網と前記切替スイッチとの接続を遮断した状態で、前記局所電源設備の電力により前記バッテリを充電し、前記バッテリに充電した電力により前記負荷を駆動する
補助電源システム。
【請求項４】
前記商用電源が停電していないとき、
夜間の商用電源により、前記切替スイッチ側の制御リレー、前記切替スイッチを介して前記商用電源を前記補助電源装置に供給して前記商用電源によりバッテリを充電し、
少なくとも昼間、前記バッテリに充電した電力により前記負荷を駆動すると共に、前記切替スイッチ側の制御リレーで前記商用電源の電源網と前記切替スイッチとの接続を遮断した状態で、前記局所電源設備の電力を前記商用電源の電力網に出力する
請求項３に記載の補助電源システム。
【発明の詳細な説明】
【技術分野】
【０００１】
本発明は、太陽光発電システム及び補助電源システムに関し、例えば一般住宅において、バッテリによる補助電源装置を使用した太陽光発電システム、太陽光発電等に適用可能な補助電源システムに関する。
【背景技術】
【０００２】
従来、一般家庭等で使用する太陽光発電システムは、商用電源を併用可能に構成され、これにより太陽光発電で不足する電力を商用電源で補うように構成されている。また特開２０１１−１３０６５５号公報には、補助電源システムにより太陽光発電による電力をバッテリに充電して有効利用する方法が提案されている。またこの種の太陽光発電システムでは、いわゆる系統連携により余剰電力を商用電源の電力網に送出する工夫も種々に提案されている。
【０００３】
また太陽光パネルのように、住宅等に設置する発電設備（局所発電設備と呼ぶ）にあっては、例えばガス、石油等の化石燃料を利用して発電する設備、風力により発電する設備も種々に提案、利用されており、このような局所発電設備にあっても、商用電源との併用、補助電源システムの利用が図られている。
【先行技術文献】
【特許文献】
【０００４】
【特許文献１】特開２０１１−１３０６５５号公報
【発明の概要】
【発明が解決しようとする課題】
【０００５】
ところで商用電源を併用可能であって、かつ補助電源システムによりバッテリに電力を充電可能な太陽光発電システムにおいては、商用電源に代えて補助電源システムのバッテリの電力を利用することにより、商用電源の停電時でも照明等の電力を確保することができ、利便性を向上することができる。しかしながらこのように商用電源に代えてバッテリの電力を利用する場合は、補助電源システムにおいても商用電源網への逆潮流を防止し、さらには系統連係を図る構成を設けること必要になる。
【０００６】
これらにより従来、この種の太陽光発電システム、さらには太陽光発電システム等に利用する補助電源システムでは、商用電源網との接続に関して、補助電源システムの構成が複雑になる問題があった。
【０００７】
本発明は、このような問題点を考慮してなされたものであり、停電時等における商用電源網への逆潮流を有効に回避して、従来に比して商用電源網との接続を簡略化することができる太陽光発電システム、補助電源システムを提案することを目的とする。
【課題を解決するための手段】
【０００８】
前記目的を達成するため、本発明は、次に記載する構成を備える。
【０００９】
（１）  太陽光による電力を出力する太陽光パネルと、
商用電源の電力又は前記太陽光パネルの電力を選択的に出力する切替スイッチと、
前記切替スイッチから出力される電力をバッテリに充電し、前記バッテリに充電した電力を出力する補助電源装置と、
前記補助電源装置からの電力又は商用電源の電力を選択的に負荷に出力する負荷側の制御リレーと、
前記切替スイッチへの前記商用電源の電力の入力を遮断する切替スイッチ側の制御リレーと、
全体の動作を制御するコントローラとを備え、
前記商用電源の停電時、
前記コントローラの制御により、前記切替スイッチ側の制御リレーで前記商用電源の電源網と前記切替スイッチとの接続を遮断した状態で、前記太陽光パネルの電力により前記バッテリを充電し、前記バッテリに充電した電力により前記負荷を駆動する。
【００１０】
（１）によれば、負荷側の制御リレーと、切替スイッチ側の制御リレーとにより、商用電源の停電時、商用電源網より切り離して系統連係の構成を不要とし、太陽光パネルの電力でバッテリを充電し、またこの電力により負荷を駆動することができ、簡易な構成により逆潮流を防止することができる。
【００１１】
（２）  （１）において、前記商用電源が停電していないとき、
夜間の商用電源により、前記切替スイッチ側の制御リレー、前記切替スイッチを介して前記商用電源を前記補助電源装置に供給して前記商用電源によりバッテリを充電し、
少なくとも昼間、前記バッテリに充電した電力により前記負荷を駆動すると共に、前記切替スイッチ側の制御リレーで前記商用電源の電源網と前記切替スイッチとの接続を遮断した状態で、前記太陽光パネルの電力を前記商用電源の電力網に出力する。
【００１２】
（２）によれば、商用電源の夜間電力によりバッテリを充電すると共に、この充電した電力により負荷を駆動することにより、電力を有効に利用するようにして、バッテリに充電した電力により負荷を駆動する際の、商用電力網への逆潮流を有効に回避し、さらには啓と連係の構成を不要とすることができる。
【００１３】
（３）  商用電源の電力又は局所電源設備の電力を選択的に出力する切替スイッチと、
前記切替スイッチから出力される電力をバッテリに充電し、前記バッテリに充電した電力を出力する補助電源装置と、
前記補助電源装置からの電力又は商用電源の電力を選択的に負荷に出力する負荷側の制御リレーと、
前記切替スイッチへの前記商用電源の電力の入力を遮断する切替スイッチ側の制御リレーと、
全体の動作を制御するコントローラとを備え、
前記商用電源の停電時、
前記コントローラの制御により、前記切替スイッチ側の制御リレーで前記商用電源の電源網と前記切替スイッチとの接続を遮断した状態で、前記局所電源設備の電力により前記バッテリを充電し、前記バッテリに充電した電力により前記負荷を駆動する。
【００１４】
（３）によれば、負荷側の制御リレーと、切替スイッチ側の制御リレーとにより、商用電源の停電時、商用電源網より切り離して系統連係の構成を不要とし、局所発電設備の電力でバッテリを充電し、またこの電力により負荷を駆動することができ、簡易な構成により逆潮流を防止することができる。
【００１５】
（４）  （３）において、
前記商用電源が停電していないとき、
夜間の商用電源により、前記切替スイッチ側の制御リレー、前記切替スイッチを介して前記商用電源を前記補助電源装置に供給して前記商用電源によりバッテリを充電し、
少なくとも昼間、前記バッテリに充電した電力により前記負荷を駆動すると共に、前記切替スイッチ側の制御リレーで前記商用電源の電源網と前記切替スイッチとの接続を遮断した状態で、前記局所電源設備の電力を前記商用電源の電力網に出力する。
【００１６】
（４）によれば、商用電源の夜間電力によりバッテリを充電すると共に、この充電した電力により負荷を駆動することにより、電力を有効に利用するようにして、バッテリに充電した電力により負荷を駆動する際の、商用電力網への逆潮流を有効に回避し、さらには啓と連係の構成を不要とすることができる。
【発明の効果】
【００１７】
本発明によれば、停電時における商用電源網への逆潮流を有効に回避して、従来に比して商用電源網との接続を簡略化することができる。
【図面の簡単な説明】
【００１８】
【図１】本発明の一実施形態における太陽光発電システムを示す斜視図である。
【図２】図１の太陽光発電システムの商用電源を使用する場合の接続を示す図である。
【図３】図１の太陽光発電システムにおいて商用電源によりバッテリを充電する場合の接続を示す図である。
【図４】図１の太陽光発電システムにおいて売電する場合の接続を示す図である。
【図５】図１の太陽光発電システムにおいてバッテリの電力により負荷を駆動する場合を示す図である。
【図６】図２から図５の接続の切替の説明に供する図である。
【図７】図１の太陽光発電システムにおいて商用電源の停電時の接続を示す図である。
【図８】図７の続きの説明に供する図である。
【発明を実施するための形態】
【００１９】
〔第１実施形態〕
〔全体構成〕
以下、本発明の実施形態について、図面を参照しながら詳細に説明する。図１は、本発明の第１実施形態に係る太陽光発電システムを示す図である。この太陽光発電システム１は、一般住宅等に設置され、売電及び買電用の電力メータ２を介して商用電源網３に接続される。この太陽光発電システム１は、バッテリによる補助電源装置１４を使用した補助電源システムＨが設けられ、この補助電源システムＨは、補助電源装置１４、制御用分電盤１０及び当該制御用分電盤１０に設けられた構成（制御リレー１１Ｃ、１１Ｄ、安全ブレーカ１８Ｃ、１８Ｄ、漏電ブレーカ１９、コントローラ１７）、制御リレー１２及び又は切替スイッチ１３、コンセント２０、プラグ２１等により構成される。
【００２０】
この太陽光発電システム１に係る住宅は、一般家庭用の分電盤である家庭用分電盤４が設けられる。この家庭用分電盤４は、売電を実施しない場合に設けられる分電盤と同様に、契約ブレーカ５、漏電ブレーカ６、安全ブレーカ７Ａ〜７Ｅが設けられる。契約ブレーカ５は、契約電流以上の電流の流出入により商用電源網との接続を遮断するブレーカであり、電力メータ２を介して商用電源網３に接続される。
【００２１】
漏電ブレーカ６は、契約ブレーカ５、連系用ブレーカ８に接続され、漏電等による過大な電流により契約ブレーカ５、連系用ブレーカ８との接続を遮断する。安全ブレーカ７Ａ〜７Ｅは、それぞれ漏電ブレーカ６に接続され、設定電流を超える過大電流により漏電ブレーカ６との接続をそれぞれ遮断する。太陽光発電システム１は、安全ブレーカ７Ａ、７Ｂ、７Ｃ、７Ｄがそれぞれこの家庭に設けられた各種家電製品等の負荷９Ａ、９Ｂ、９Ｃ、９Ｄに接続される。
【００２２】
これによりこの太陽光発電システム１は、電力メータ２、契約ブレーカ５、漏電ブレーカ６、安全ブレーカ７Ａ、７Ｂ、７Ｃ、７Ｄを順次介して商用電源網３からの電力を負荷９Ａ、９Ｂ、９Ｃ、９Ｄに供給する。なお負荷９Ａ〜９Ｄのうち負荷９Ｃ、９Ｄは、商用電源が停電した場合に著しく不便を感じる室内照明等であり、後述する制御用分電盤１０に設けられた制御リレー１１Ｃ、１１Ｄを介して安全ブレーカ７Ｃ、７Ｄに接続され、これにより制御リレー１１Ｃ、１１Ｄの制御により別途、商用電源網との接続を制御できるように構成される。
【００２３】
これに対して安全ブレーカ７Ｅは、制御リレー１２、切替スイッチ１３を介して補助電源装置１４に接続され、これによりこの太陽光発電システム１は、商用電源を補助電源装置１４に供給できるように構成される。ここで補助電源装置１４は、制御用分電盤１０に設けられたコントローラ１７の制御により動作を切り替える電源装置であり、内蔵のバッテリへの充電により電力を蓄積し、またこのバッテリの放電により蓄積した電力を出力する。これによりこの太陽光発電システム１は、商用電源の電力で補助電源装置１４を充電でき、また充電した電力を送出できるように構成される。
【００２４】
この太陽光発電システム１において、太陽光パネル１５は、例えば屋根等に設置され、太陽光による電力を出力する。パワーコンディショナー１６は、コントローラ１７の制御により動作を切り替え、太陽光パネル１５の電力による補助電源装置１４の充電時、太陽光パネル１５から出力される電力を切替スイッチ１３を介して補助電源装置１４に出力する。また売電時、パワーコンディショナー１６は、系統連携により太陽光パネルから出力される電力を連系用ブレーカ８を介して契約ブレーカ５に出力する。しかして連系用ブレーカ８は、パワーコンディショナー１６からの過大な電流の流出により接続を遮断するブレーカである。なおパワーコンディショナー１６は、当該パワーコンディショナー１６の筐体に設けられたスイッチの操作、コントローラ１７の制御により、自立発電モードにより系統連係の動作を停止して商用電源と同等の電圧、周波数による電力を切替スイッチ１３に出力する。
【００２５】
切替スイッチ１３は、コントローラ１７の制御により接点を切り替え、補助電源装置１４の商用電源による充電時、制御リレー１２から出力される電力を補助電源装置１４に出力し、また補助電源装置１４の太陽光パネル１５の電力による充電時、パワーコンディショナー１６から出力される電力を補助電源装置１４に出力する。
【００２６】
制御リレー１２は、通常は、安全ブレーカ７Ｅと切替スイッチ１３とを接続するのに対し、商用電源の停電時、コントローラ１７の制御によりこの接続を遮断する。
【００２７】
制御用分電盤１０は、この住宅に太陽光発電システム１を設置する際に設置されるに分電盤であり、制御リレー１１Ｃ、１１Ｄ、安全ブレーカ１８Ｃ、１８Ｄ、漏電ブレーカ１９、コントローラ１７が設けられる。ここで漏電ブレーカ１９には、補助電源装置１４から電力が供給され、この電力に係る電流が過大になると、接続を遮断する。安全ブレーカ１８Ｃ、１８Ｄは、漏電ブレーカ１９をそれぞれ制御リレー１１Ｃ、１１Ｄに接続し、事前に設定されている電力を超える過大な電流により接続を遮断する。制御リレー１１Ｃ、１１Ｄは、それぞれコントローラ１７の制御により動作を切り替え、安全ブレーカ７Ｃ、７Ｄから出力される商用電源による電力、補助電源装置１４から出力されるバッテリによる電力を選択的に負荷９Ｃ、９Ｄに出力する。
【００２８】
なおこの実施形態において、補助電源装置１４の入力側には切替スイッチ１３からの電力を出力するコンセント２０が設けらており、また制御用分電盤１０にはプラグ２１を介して補助電源装置１４からの電力を入力するように構成されている。これにより太陽光発電システム１は、プラグ２１をコンセント２０に差し替えてパワーコンディショナー１６からの電力を負荷９Ｃ、９Ｄに出力できるように構成される。
【００２９】
また補助電源装置１４は、各バッテリセルの充放電回路に、ダイオード等により逆流を防止する構成が設けられており、例えば商用電源により充電する際に、商用電源が一時的に電圧降下した場合の逆潮流を防止し、さらには補助電源装置１４で異常が発生した場合等に、この異常拡大し、さらには故障が発生して拡大しないように、構成されている。
【００３０】
〔接続形態〕
コントローラ１７は、この太陽光発電システム１の動作を制御するコンピュータである。この太陽光発電システム１に係るユーザーの設定により全体の動作を切替える。
【００３１】
図２は、コントローラ１７の制御により商用電源のみにより負荷９Ａ〜９Ｄを駆動する場合の接続を示す図である。なおこの図２及び以下において、電力の供給を極太線により示す。コントローラ１７は、商用電源網３から電力が供給されている場合であって、かつ事前の設定により商用電源のみにより家庭内の電力をまかなうように設定されている場合、制御リレー１１Ｃ、１１Ｄの接点を家庭用分電盤４側に保持する。これによりこの太陽光発電システム１は、商用電源網３による電力を契約ブレーカ５、漏電ブレーカ６、安全ブレーカ７Ａ〜７Ｄ、制御リレー１１Ｃ、１１Ｄを介して負荷９Ａ〜９Ｄに供給する。
【００３２】
またこのように商用電源のみにより負荷を駆動するようにして、商用電源により補助電源装置１４のバッテリを充電しない場合には、制御リレー１２及び又は切替スイッチ１３の制御により補助電源装置１４への商用電源の供給を停止制御するのに対し、商用電源により補助電源装置１４のバッテリを充電する場合、図２との対比により図３に示すように、安全ブレーカ７Ｅを介して供給される商用電源を制御リレー１２、切替スイッチ１３を介して補助電源装置１４に供給し、この電源により補助電源装置１４のバッテリを充電する。
【００３３】
また図２との対比により図４に示すように、太陽光パネル１５の電力により負荷９Ａ〜９Ｄを駆動する場合、パワーコンディショナー１６を系統連係により動作するように設定して、太陽光パネル１５の電力を、パワーコンディショナー１６、連系用ブレーカ８を介して出力し、この電力を漏電ブレーカ６、安全ブレーカ７Ａ〜７Ｄ、制御リレー１１Ｃ、１１Ｄを介して負荷９Ａ〜９Ｄに供給する。またさらにこのようにして太陽光パネル１５の電力により負荷９Ａ〜９Ｄを駆動してさらに売電する場合、契約ブレーカ５、電力メータ２を介して余剰の電力を商用電源網３に出力する。
【００３４】
また図５に示すように、事前の設定により、補助電源装置１４に充電した電力により一部の負荷９Ｃ、９Ｄを駆動する場合、制御リレー１１Ｃ、１１Ｄを補助電源装置１４側に切替えると共に、補助電源装置１４の動作を切替えて蓄積した電力を送出させる。なおこのとき他の負荷９Ａ、９Ｂについては、商用電源、太陽光パネル１５の電力により駆動する。このとき制御リレー１２の制御により安全ブレーカ７Ｅと切替スイッチ１３との接続を遮断し、補助電源装置１４から切替スイッチ１３側に出力される電力について、商標電源への逆潮流を防止する。これにより補助電源装置１４においては、放電時においては系統連係を図る必要が無いことにより、構成を簡略化することができる。
【００３５】
図６は、この一連の接続の切り替えを示す図である。この図６において、符号Ｌ１は、太陽光パネル１５による発電量を示し、符号Ｌ２はこの家庭における消費電力を示す。この太陽光発電システム１は、電力料金の安い夜間電力により補助電源装置１４を充電するようにして、電力料金の高い昼間、朝、晩においては、この補助電源装置１４に充電した電力と太陽光パネル１５の電力とにより負荷を駆動し、これにより電力消費の均一化を図る。また昼間、太陽光パネル１５の電力に余剰が生じると、この余剰電力を売電する。
【００３６】
このようにして商用電源の電力を部分的に使用して停電が発生すると、この太陽光発電システム１では、太陽光パネル１５の電力のみにより負荷９Ｃ、９Ｄを駆動する。図７及び図８は、この停電時における接続を示す図である。この太陽光発電システム１は、家庭用分電盤４における電圧検出、電流検出等により商用電源の停電を検出できるように構成されており、コントローラ１７は、停電の検出により制御リレー１２の動作を制御し、安全ブレーカ７Ｅと切替スイッチ１３との接続を遮断する。また事前に太陽光パネル１５の電力により負荷を駆動するように設定されている場合、又は太陽光パネル１５の電力が十分な場合、図７に示すように、パワーコンディショナー１６を自立運転により動作させ、太陽光パネル１５の電力を切替スイッチ１３を介して補助電源装置１４に出力してバッテリを充電すると共に、この電力を漏電ブレーカ１９、安全ブレーカ１８Ｃ、１８Ｄ、制御リレー１１Ｃ、１１Ｄを介して負荷９Ｃ、９Ｄに出力する。
【００３７】
これに対してこのようにして太陽光パネル１５の電力により負荷９Ｃ、９Ｄを駆動して、太陽光パネル１５の電力が不足する場合、補助電源装置１４におけるバッテリの充電を停止制御し、これにより太陽光パネル１５の電力を負荷９Ｃ、９Ｄの駆動にのみ使用する。
【００３８】
これに対して負荷９Ｃ、９Ｄの駆動にも太陽光パネル１５の電力が不足する場合、図８に示すように、切替スイッチ１３の接続を切替えてパワーコンディショナー１６と補助電源装置１４をの接続を遮断する。この状態で補助電源装置１４の動作を切り替え、バッテリに充電した電力を漏電ブレーカ１９、安全ブレーカ１８Ｃ、１８Ｄ、制御リレー１１Ｃ、１１Ｄを介して負荷９Ｃ、９Ｄに出力する。これにより太陽光パネル１５の余剰の電力により補助電源装置１４のバッテリを充電して、この充電した電力を夜間照明等に利用する。このようにして太陽光パネル１５の電力により停電時負荷を駆動するようにして、この実施形態では、商用電源により補助電源装置１４のバッテリを充電する系統を制御リレー１２の制御により切断することにより、商用電源網への逆潮流を確実に防止することができる。これにより停電時における商用電源網への逆潮流を有効に回避して、従来に比して商用電源網との接続を簡略化することができる。
【００３９】
なおこれらにより補助電源装置１４は、充電時（図３）を除いて商用電源に接続されないことになるものの、この充電時、商用電源が電圧降下した場合、補助電源装置１４が故障した場合、商用電源への逆潮流が発生することも予測される。そこでこの実施形態において、コントローラ１７は、商用電源の電圧、補助電源装置１４における各バッテリセルの端子電圧、充電電圧、温度の異常を監視する。また異常の検出により、制御リレー１２により商用電源への接続を遮断し、これにより各部の異常の発生、拡大を防止する。また負荷９Ｃ、９Ｄを駆動している場合には、異様の検出により、制御リレー１１Ｃ、１１Ｄにより負荷９Ｃ、９Ｄとの接続を遮断し、これにより負荷９Ｃ、９Ｄを保護すると共に、異常の拡大を防止する。
【００４０】
〔接続の設定〕
コントローラ１７は、タッチパネルを備えた携帯端末との間の無線通信により、当該携帯端末に各種の情報を表示し、これにより太陽光発電システム１の現在状態、売電量等をユーザに通知する。さらにコントローラ１７は、この携帯端末におけるタッチパネルの操作により設定画面を表示させ、この設定画面により各種の設定を受け付ける。
【００４１】
より具体的には、商用電源のみで負荷９Ａ〜９Ｄを駆動する時間帯（図２）、商用電源により補助電源装置１４のバッテリを充電する時間帯（図３）、太陽光パネル１５の電力を売電する時間帯（図４）、負荷９Ａ〜９Ｄのうちの負荷９Ｃ、９Ｄについて補助電源装置１４の電力により駆動する時間帯（図５）の設定を受け付ける。また補助電源装置の電力により負荷を駆動する場合にあっては、負荷９Ｃ、９Ｄのそれぞれについて時間帯、駆動の有無を受け付ける。またこのようにバッテリを充電して利用する場合には、満充電量を基準にした充電量の設定を受け付ける。
【００４２】
またさらにコントローラ１７は、同様にして、停電時において太陽光パネル１５、補助電源装置１４により駆動する負荷（９Ｃ又は９Ｄ）の選択設定等を受け付ける。コントローラ１７は、このようにして設定された条件に従って、各部の動作を制御して図２〜図８について上述したに全体の接続を切替える。
【００４３】
以上の構成によれば、商用電源により直接に、さらには補助電源装置のバッテリを充電して負荷を駆動する構成において、商用電源の停電時、負荷側の制御リレー１１Ｃ、１１Ｄ、切替スイッチ１３側の制御リレー１２により商用電源網と補助電源装置との接続を遮断することにより、停電時における商用電源網への逆潮流を有効に回避して、従来に比して商用電源網との接続を簡略化することができる。
【００４４】
またさらに商用電源が停電していないとき、夜間の商用電源により補助電源装置のバッテリを充電し、昼間、このバッテリに充電した電力により負荷を駆動するようにして、切替スイッチ１３側の制御リレー１２で商用電源網と切替スイッチ１３との接続を遮断することにより、夜間電力により補助電源装置を充電して利用する場合でも逆潮流を有効に回避することができる。またこれらにより停電時、及び停電していない場合の双方において、補助電源装置１４はバッテリの放電時、商用電力網から遮断されることになり、系統連係に係るの構成を設けることなく補助電源装置１４を構成することができ、その分、構成を簡略化することができる。より具体的に、補助電源装置１４にあっては、商用電源との接続に係る構成である系統連係の構成を設けなくても良く、これにより構成を簡略化することができる。
【００４５】
なおこのように停電時等において逆潮流を防止することにより、停電時等において、商用電源網に接続された各機器に関する事故を防止して、速やかな商用電源の復帰を図ることができ、当該太陽光発電システム１に係る地域の電力供給の安定化に寄与することができる。
【００４６】
〔他の実施形態〕
以上、本発明の実施に好適な具体的な構成を詳述したが、本発明は、本発明の趣旨を逸脱しない範囲で、上述の実施形態の構成を種々に変更し、さらには従来構成と組み合わせることができる。
【００４７】
すなわち上述の実施形態では、一部の負荷のみ、バッテリに充電した電力により駆動する場合について述べたが、本発明はこれに限らず、負荷の全てを駆動する場合にも広く適用することができる。
【００４８】
また上述の実施形態では、太陽光パネルと商用電源との電力を利用する太陽光発電システムに本発明を適用する場合について述べたが、本発明はこれに限らず、ガス、風力等による発電機構をさらに備えた太陽光発電システムにも広く適用することができる。
【００４９】
またこれに限らず、太陽光パネルに代えて、ガス、石油等の化石燃料を利用して発電する局所発電設備、風力により発電する局所発電設備に係る補助電源システムに広く適用することができる。
【符号の説明】
【００５０】
１  太陽光発電システム
２  電力メータ
３  商用電源網
４  家庭用分電盤
５  契約ブレーカ
６、１９  漏電ブレーカ
７Ａ〜７Ｅ、１８Ｃ、１８Ｄ  安全ブレーカ
８  連系用ブレーカ
９Ａ〜９Ｄ  負荷
１０  制御用分電盤
１１Ｃ、１１Ｄ、１２  制御リレー
１３  切替スイッチ
１４  補助電源装置
１５  太陽光パネル
１６  パワーコンディショナー
１７  コントローラ
２０  コンセント
２１  プラグ
【図１】
2014180125.tif 000003
【図２】
2014180125.tif 000004
【図３】
2014180125.tif 000005
【図４】
2014180125.tif 000006
【図５】
2014180125.tif 000007
【図６】
2014180125.tif 000008
【図７】
2014180125.tif 000009
【図８】
2014180125.tif 000010